(57)【要約】【課題】  表示画像と印刷画像の階調を一致させる。【解決手段】  画像を入力する入力部１０と、入力部１０により入力された画像の輝度値を所定の調整用パラメータに基づいて変更する輝度値変更部１２と、輝度値変更部１２により輝度値が変更された画像を出力する画像出力部１３と、輝度値変更部１２で画像の輝度値を変更したときに用いた調整用パラメータを出力する調整用パラメータ出力部１５とを備える。【選択図】  図１
2005311632.tif 000002
【特許請求の範囲】
【請求項１】
画像を入力する入力手段と、
上記入力手段により入力された上記画像の輝度値を所定の調整用パラメータに基づいて変更する輝度値変更手段と、
上記輝度値変更手段により輝度値が変更された画像を出力する画像出力手段と、
上記輝度値変更手段で上記画像の輝度値を変更したときに用いた調整用パラメータを出力する調整用パラメータ出力手段とを備えることを特徴とする表示調整装置。
【請求項２】
上記画像の輝度値を変更する調整用パラメータが複数格納されている調整用パラメータ格納手段と、
上記調整用パラメータ格納手段に格納されている調整用パラメータから所定の調整用パラメータを選択する選択手段とを備え、
上記輝度値変更手段は、上記選択手段で選択された調整用パラメータに基づいて、上記入力手段により入力された上記画像の輝度値を変更し、
上記調整用パラメータ出力手段は、上記選択手段で選択された調整用パラメータを出力することを特徴とする請求項１記載の表示調整装置。
【請求項３】
上記画像の輝度値を変更する調整用パラメータを生成する調整用パラメータ生成手段を備え、
上記輝度値変更手段は、上記調整用パラメータ生成手段で生成された調整用パラメータに基づいて、上記入力手段により入力された上記画像の輝度値を変更し、
上記調整用パラメータ出力手段は、上記調整用パラメータ生成手段で生成された調整用パラメータを出力することを特徴とする請求項１記載の表示調整装置。
【請求項４】
画像を入力する入力工程と、
上記入力工程により入力された上記画像の輝度値を所定の調整用パラメータに基づいて変更する輝度値変更工程と、
上記輝度値変更工程により輝度値が変更された画像を出力する画像出力工程と、
上記輝度値変更工程で上記画像の輝度値を変更したときに使用した調整用パラメータを出力する調整用パラメータ出力工程とを備えることを特徴とする表示調整方法。
【請求項５】
上記画像の輝度値を変更する調整用パラメータが複数格納されている調整用パラメータ格納工程と、
上記調整用パラメータ格納工程に格納されている調整用パラメータから所定の調整用パラメータを選択する選択工程とを備え、
上記輝度値変更工程は、上記選択工程で選択された調整用パラメータに基づいて、上記入力工程により入力された上記画像の輝度値を変更し、
上記調整用パラメータ出力工程は、上記選択工程で選択された調整用パラメータを出力することを特徴とする請求項４記載の表示調整方法。
【請求項６】
上記画像の輝度値を変更する調整用パラメータを生成する調整用パラメータ生成工程を備え、
上記輝度値変更工程は、上記調整用パラメータ生成工程で生成された調整用パラメータに基づいて、上記入力工程により入力された上記画像の輝度値を変更し、
上記調整用パラメータ出力工程は、上記調整用パラメータ生成工程で生成された調整用パラメータを出力することを特徴とする請求項４記載の表示調整方法。
【請求項７】
画像を入力する入力工程と、
上記入力工程により入力された上記画像の輝度値を所定の調整用パラメータに基づいて変更する輝度値変更工程と、
上記輝度値変更工程により輝度値が変更された画像を出力する画像出力工程と、
上記輝度値変更工程で上記画像の輝度値を変更したときに使用した調整用パラメータを出力する調整用パラメータ出力工程をコンピュータに実行させるためのプログラム。
【請求項８】
上記画像の輝度値を変更する調整用パラメータが複数格納されている調整用パラメータ格納工程と、
上記調整用パラメータ格納工程に格納されている調整用パラメータから所定の調整用パラメータを選択する選択工程とを備え、
上記輝度値変更工程は、上記選択工程で選択された調整用パラメータに基づいて、上記入力工程により入力された上記画像の輝度値を変更し、
上記調整用パラメータ出力工程は、上記選択工程で選択された調整用パラメータを出力することを特徴とする請求項７記載のプログラム。
【請求項９】
上記画像の輝度値を変更する調整用パラメータを生成する調整用パラメータ生成工程を備え、
上記輝度値変更工程は、上記調整用パラメータ生成工程で生成された調整用パラメータに基づいて、上記入力工程により入力された上記画像の輝度値を変更し、
上記調整用パラメータ出力工程は、上記調整用パラメータ生成工程で生成された調整用パラメータを出力することを特徴とする請求項７記載のプログラム。
【請求項１０】
画像を入力する入力手段と、
上記入力手段により入力された上記画像の輝度値を所定の調整用パラメータに基づいて変更する輝度値変更手段と、
上記輝度値変更手段により輝度値が変更された画像を出力する画像出力手段と、
上記画像出力手段により出力された画像を表示する画像表示手段と、
上記輝度値変更手段で上記画像の輝度値を変更したときに使用した調整用パラメータを出力する調整用パラメータ出力手段と、
上記調整用パラメータ出力手段から出力された上記調整用パラメータを補正用パラメータに変換する変換手段と、
上記変換手段により変換された補正用パラメータに基づき、上記画像に補正処理を施す補正処理手段と、
上記補正処理手段により補正処理を施された画像を印刷出力する印刷出力手段とを有することを特徴とする画像表示印刷システム。
【請求項１１】
上記画像の輝度値を変更する調整用パラメータが複数格納されている調整用パラメータ格納手段と、
上記調整用パラメータ格納手段に格納されている調整用パラメータから所定の調整用パラメータを選択する選択手段とを備え、
上記輝度値変更手段は、上記選択手段で選択された調整用パラメータに基づいて、上記入力手段により入力された上記画像の輝度値を変更し、
上記調整用パラメータ出力手段は、上記選択手段で選択された調整用パラメータを出力することを特徴とする請求項１０記載の画像表示印刷システム。
【請求項１２】
上記画像の輝度値を変更する調整用パラメータを生成する調整用パラメータ生成手段を備え、
上記輝度値変更手段は、上記調整用パラメータ生成手段で生成された調整用パラメータに基づいて、上記入力手段により入力された上記画像の輝度値を変更し、
上記調整用パラメータ出力手段は、上記調整用パラメータ生成手段で生成された調整用パラメータを出力することを特徴とする請求項１０記載の画像表示印刷システム。
【発明の詳細な説明】
【技術分野】
【０００１】
本発明は、入力画像に表示調整を行う表示調整装置及び方法、プログラム並びに、入力画像に表示調整を行い、表示調整を行った画像を表示し、表示されている画像を印刷出力する画像表示印刷システムに関する。
【背景技術】
【０００２】
現在、医療現場において、患者の患部をＸ線やＭＲＩ（magnetic resonance imaging）等の電子撮像装置で撮像し、撮像した画像をモニター等の表示部に表示したり、プリントアウトしたりして医療診断を行っている。
【０００３】
また、表示部に表示されている表示画像の一部分を更に詳細に観察するために、あるいは表示部が置かれている部屋の明るさなど環境条件に応じて、表示部のコントラストや、表示画像の輝度を変えて観察したい場合がある。
【０００４】
ところで、ＣＲＴ等の表示部では、入力信号Ｅ対表示輝度Ｌの特性が非線形となっており、これをガンマ（γ）特性という。一般に、ＣＲＴの輝度Ｌは、ＣＲＴへの入力信号Ｅのγ乗に比例して変化する。すなわち、Ｌ＝ＫＥγ（一般にγ＝２．２〜３、Ｋは定数）である。したがって、正しい階調表現を行うためには、あらかじめ１／γ乗の逆補正を行った信号をＣＲＴに加える必要がある。これをγ補正という。
【０００５】
一般的に、表示部では、このガンマ補正の調整を任意に行えるようにガンマ補正部が備えられている。観察者は、このガンマ補正部を調整することにより表示部の表示状態を任意のものに変更している（例えば、特許文献１参照。）。
【０００６】
【特許文献１】特開平７−１６２７１４号公報
【発明の開示】
【発明が解決しようとする課題】
【０００７】
しかしながら、従来から表示部における階調再現特性の調整や変更はあくまで表示部における表示上の一時的な変更に留めておき、その画像を印刷する場合でも印刷画像にまでは反映されない。
【０００８】
その結果、表示部に表示されている画像と、印刷用紙に出力された画像との間で階調再現特性の不一致が生じることとなり、例えば、患部を撮影した画像に対して、特定のガンマ補正を施すことにより表示部上では病理判定が可能となっていても、その表示部に表示されている画像を忠実に印刷出力することができないため、表示部がない場所では、医療診断が困難であった。
【０００９】
そこで、本発明は、上述した課題を解決するために、入力された画像にガンマ補正を施し、ガンマ補正後の画像を表示部に表示させ、該表示部に表示されているガンマ補正後の画像を忠実に印刷出力することが可能な表示調整装置及び方法、プログラム並びに画像表示印刷システムに関する。
【課題を解決するための手段】
【００１０】
本発明に係る表示調整方法は、上述の課題を解決するために、画像を入力する入力手段と、入力手段により入力された画像の輝度値を所定の調整用パラメータに基づいて変更する輝度値変更手段と、輝度値変更手段により輝度値が変更された画像を出力する画像出力手段と、輝度値変更手段で画像の輝度値を変更したときに用いた調整用パラメータを出力する調整用パラメータ出力手段とを備える。
【００１１】
また、表示調整装置は、画像の輝度値を変更する調整用パラメータが複数格納されている調整用パラメータ格納手段と、調整用パラメータ格納手段に格納されている調整用パラメータから所定の調整用パラメータを選択する選択手段とを備え、輝度値変更手段は、選択手段で選択された調整用パラメータに基づいて、入力手段により入力された画像の輝度値を変更し、調整用パラメータ出力手段は、選択手段で選択された調整用パラメータを出力する。
【００１２】
さらに、表示調整装置は、画像の輝度値を変更する調整用パラメータを生成する調整用パラメータ生成手段を備え、輝度値変更手段は、調整用パラメータ生成手段で生成された調整用パラメータに基づいて、入力手段により入力された画像の輝度値を変更し、調整用パラメータ出力手段は、調整用パラメータ生成手段で生成された調整用パラメータを出力する。
【００１３】
また、本発明に係る表示調整方法は、上述の課題を解決するために、画像を入力する入力工程と、入力工程により入力された画像の輝度値を所定の調整用パラメータに基づいて変更する輝度値変更工程と、輝度値変更工程により輝度値が変更された画像を出力する画像出力工程と、輝度値変更工程で画像の輝度値を変更したときに使用した調整用パラメータを出力する調整用パラメータ出力工程とを備える。
【００１４】
また、表示調整方法は、画像の輝度値を変更する調整用パラメータが複数格納されている調整用パラメータ格納工程と、調整用パラメータ格納工程に格納されている調整用パラメータから所定の調整用パラメータを選択する選択工程とを備え、輝度値変更工程は、選択工程で選択された調整用パラメータに基づいて、入力工程により入力された画像の輝度値を変更し、調整用パラメータ出力工程は、選択工程で選択された調整用パラメータを出力する。
【００１５】
また、表示調整方法は、画像の輝度値を変更する調整用パラメータを生成する調整用パラメータ生成工程を備え、輝度値変更工程は、調整用パラメータ生成工程で生成された調整用パラメータに基づいて、入力工程により入力された画像の輝度値を変更し、調整用パラメータ出力工程は、調整用パラメータ生成工程で生成された調整用パラメータを出力する。
【００１６】
また、本発明に係るプログラムは、上述の課題を解決するために、画像を入力する入力工程と、入力工程により入力された画像の輝度値を所定の調整用パラメータに基づいて変更する輝度値変更工程と、輝度値変更工程により輝度値が変更された画像を出力する画像出力工程と、輝度値変更工程で画像の輝度値を変更したときに使用した調整用パラメータを出力する調整用パラメータ出力工程をコンピュータに実行させるものである。
【００１７】
また、プログラムは、画像の輝度値を変更する調整用パラメータが複数格納されている調整用パラメータ格納工程と、調整用パラメータ格納工程に格納されている調整用パラメータから所定の調整用パラメータを選択する選択工程とを備え、輝度値変更工程は、選択工程で選択された調整用パラメータに基づいて、入力工程により入力された画像の輝度値を変更し、調整用パラメータ出力工程は、選択工程で選択された調整用パラメータを出力すること。
【００１８】
また、プログラムは、画像の輝度値を変更する調整用パラメータを生成する調整用パラメータ生成工程を備え、輝度値変更工程は、調整用パラメータ生成工程で生成された調整用パラメータに基づいて、入力工程により入力された画像の輝度値を変更し、調整用パラメータ出力工程は、調整用パラメータ生成工程で生成された調整用パラメータを出力する。
【００１９】
また、本発明に係る画像表示印刷システムは、上述の課題を解決するために、画像を入力する入力手段と、入力手段により入力された画像の輝度値を所定の調整用パラメータに基づいて変更する輝度値変更手段と、輝度値変更手段により輝度値が変更された画像を出力する画像出力手段と、画像出力手段により出力された画像を表示する画像表示手段と、輝度値変更手段で画像の輝度値を変更したときに使用した調整用パラメータを出力する調整用パラメータ出力手段と、調整用パラメータ出力手段から出力された調整用パラメータを補正用パラメータに変換する変換手段と、変換手段により変換された補正用パラメータに基づき、画像に補正処理を施す補正処理手段と、補正処理手段により補正処理を施された画像を印刷出力する印刷出力手段とを有する。
【００２０】
また、画像表示印刷システムは、画像の輝度値を変更する調整用パラメータが複数格納されている調整用パラメータ格納手段と、調整用パラメータ格納手段に格納されている調整用パラメータから所定の調整用パラメータを選択する選択手段とを備え、輝度値変更手段は、選択手段で選択された調整用パラメータに基づいて、入力手段により入力された画像の輝度値を変更し、調整用パラメータ出力手段は、選択手段で選択された調整用パラメータを出力する。
【００２１】
さらに、画像表示印刷システムは、画像の輝度値を変更する調整用パラメータを生成する調整用パラメータ生成手段を備え、輝度値変更手段は、調整用パラメータ生成手段で生成された調整用パラメータに基づいて、入力手段により入力された画像の輝度値を変更し、調整用パラメータ出力手段は、調整用パラメータ生成手段で生成された調整用パラメータを出力する。
【発明の効果】
【００２２】
本発明では、所定の補正用パラメータに基づいて撮像装置から供給された原画像に補正処理を行い、補正処理後の画像を表示装置に出力し、かつ、印刷装置で当該補正用パラメータに基づいて、原画像に輝度・濃度マッチングを行い、輝度・濃度マッチングを行った画像に所定の補正処理を施して印刷出力するので、表示装置に表示されている表示画像と、印刷装置により印刷出力される印刷画像の階調度を一致させることができる。
【発明を実施するための最良の形態】
【００２３】
以下、本発明の実施の形態として、入力された画像に補正処理を行う補正処理装置と、補正処理後の画像を表示する表示装置と、表示装置に表示されている画像を印刷出力する印刷装置とからなる画像表示印刷システムについて説明する。
【００２４】
画像表示印刷システム１は、図１に示すように、被写体を撮像する撮像装置２と、撮像装置２で撮像された画像に補正処理を行う補正処理装置３と、補正処理が施された画像を表示する表示装置４と、補正処理装置３を介して供給される画像に所定の処理を行い、表示装置４に表示されている画像をそのまま忠実に印刷出力する印刷装置５を備えている。
【００２５】
撮像装置２は、例えば、Ｘ線撮像装置や、磁気共鳴撮像装置（ＭＲＩ、magnetic resonance imaging）等の患者の患部の撮影を行う装置である。撮像装置２は、撮像した画像を補正処理装置３に供給する。
【００２６】
補正処理装置３は、画像を入力する画像入力部１０と、画像の輝度値を補正するための補正用パラメータを供給する補正用パラメータ供給部１１と、補正用パラメータ供給部１１で生成された補正用パラメータに基づいて画像の補正を行う画像補正部１２と、補正後の画像を表示装置４に出力する表示出力部１３と、画像入力部１０から入力された画像を出力する画像出力部１４と、補正用パラメータ供給部１１から供給された補正用パラメータを出力するパラメータ出力部１５とを備える。
【００２７】
画像入力部１０は、画像補正部１２と、画像出力部１４が接続されており、撮像装置２から供給された画像に所定の処理を行って画像信号Ｓ１を生成し、生成した画像信号Ｓ１を画像補正部１２と画像出力部１４に供給する。
【００２８】
補正用パラメータ供給部１１は、所定の補正用パラメータを画像補正部１２とパラメータ出力部１５に供給する。また、補正用パラメータ供給部１１は、図示しない操作部から供給された信号に基づいて所定の補正用パラメータを生成し、生成した補正用パラメータを画像補正部１２及びパラメータ出力部１５に供給する構成（以下、第１の構成という。）であっても良い。また、補正用パラメータ供給部１１は、図２に示すように、補正値（補正曲線）の異なる補正用パラメータを予め設定しておき、操作部から供給された信号に基づいて一の補正曲線が選択され、選択された補正曲線を補正用パラメータとして画像補正部１２及びパラメータ出力部１５に供給する構成（以下、第２の構成という。）であっても良い。さらに、補正用パラメータ供給部１１は、第１の構成と第２の構成を選択できる構成であっても良い。なお、図２では、補正曲線Ａが最も暗く、補正曲線Ｂ、補正曲線Ｃ、補正曲線Ｄの順番で明るくなる。
【００２９】
画像補正部１２は、補正用パラメータ供給部１１から供給された補正用パラメータに基づき、画像入力部１０から供給された画像信号Ｓ１にガンマ補正処理を行い、ガンマ補正処理後の画像信号Ｓ２を画像出力部１３に供給する。
【００３０】
画像出力部１３は、画像補正部１２から供給された画像信号Ｓ２を表示装置４に出力する。画像出力部１４は、画像入力部１０を介して入力された画像を印刷装置５に出力する。なお、印刷装置５に供給される画像は、撮像装置２から直接供給する構成であっても良い。
【００３１】
パラメータ出力部１５は、補正用パラメータ供給部１１から供給された補正用パラメータを印刷装置５に出力する。
【００３２】
表示装置４は、例えば、ＣＲＴ（cathode ray tube）であり、補正処理装置３から供給された画像を表示する。表示装置４は、入力信号に対する出力信号の比で表される輝度特性が直線比例的ではなく、指数関数的な特性を有している。この指数関数的な曲線を表示装置４のガンマという。したがって、表示装置４に画像を入力する場合には、輝度特性を直線比例的にするために、階調上の歪みを補正（ガンマ補正）する必要がある。
【００３３】
ここで、表示装置４の代表的なガンマの曲線とその補正曲線の関係を図３に示す。補正曲線は、ガンマの曲線とは逆の特性を持つ曲線である。したがって、補正曲線による補正処理が行われた画像信号（図３中に示す曲線Ａ）を表示装置４に入力することにより、表示装置４のガンマの曲線（図３中に示す曲線Ｂ）の作用を相殺し、入力信号に対する階調の再現を暗から明までほぼ直線（図３中に示す線Ｃ）に保つことができる。なお、本実施例では、このような補正処理を補正処理装置３で行っているが、表示装置４で行っても良い。なお、図３中に示す曲線Ｂは、ガンマが２．２のときの曲線である。
【００３４】
印刷装置５は、画像を入力する画像入力部２０と、パラメータ出力部１５から出力された補正用パラメータを入力するパラメータ入力部２１と、パラメータ入力部２１を介して入力された補正用パラメータに基づき、画像入力部２０を介して入力された画像に所定の補正処理を行う画像処理部２２と、補正処理後の画像に基づきハーフトーニング処理を行うハーフトーニング処理部２３と、ハーフトーニング処理後のデータに基づき印刷ヘッド２５を駆動するヘッドドライブ部２４を備える。なお、本実施例では、印刷装置５として、例として、多階調で印刷出力可能なモノクロプリンタを採用しているが、勿論、モノクロプリンタに限られるものではなく、モノカラープリンタ、フルカラープリンタをも採用することは可能である。
【００３５】
また、画像入力部２０は、画像出力部１４から供給される画像を入力するが、撮像装置２から直接供給される画像を入力しても良い。
【００３６】
画像処理部２２は、画像入力部２０を介して入力される画像に基づき、画像信号の輝度値を所定の濃度値に変換する輝度・濃度変換部３０と、パラメータ入力部２１から供給される補正用パラメータに基づいて、所定の調整曲線が選択され、該選択された調整曲線に基づき、輝度・濃度変換部３０で所定の濃度値に変換された画像信号を補正する画像信号補正部３１と、調整処理後の画像信号にガンマ補正を行うガンマ補正部３２とからなる。
【００３７】
輝度・濃度変換部３０は、画像入力部２０から供給される画像信号の輝度値を反転させて濃度値に変換する。
【００３８】
ところで、印刷装置５には、図４に示すように、輝度・濃度変換部３０で濃度値に変換処理された画像信号の階調と、印刷出力により得られる画像（以下、印刷画像という。）により再現される階調との間に飽和曲線（ガンマ曲線）に沿った関係があるため、原画像の濃度データをそのまま印刷出力すると、印刷画像と原画像とで階調再現特性に食い違いがでてしまう。このため、濃度値に変換処理された画像信号をガンマ曲線とは逆の特性を有する曲線によって補正処理（ガンマ補正）することにより階調再現における直線性を確保する必要がある。
【００３９】
また、印刷装置５におけるガンマ補正は、表示装置４におけるガンマ補正と概念的には同様であるが、表示装置４の場合は、輝度値に対する補正であるのに対して、印刷装置５の場合は、印刷濃度に対する補正である。すなわち、表示装置５においては、入力される画像信号のレベルが増すにつれて輝度が飽和、つまり明るさが最大となる性質を有するが、印刷装置５の場合は、入力される画像信号のレベルが増すにつれて濃度飽和、つまり暗さが最大となる性質を有している。
【００４０】
ガンマ補正部３２では、このような性質上の違いを考慮して画像信号にガンマ補正処理を行っている。
【００４１】
また、一般的に、表示装置４のガンマ特性と、印刷装置５のガンマ特性とは一致しないため、表示装置４に表示されているガンマ補正後の表示画像と、印刷装置５により出力されたガンマ補正後の印刷画像とでは、階調の不一致が発生してしまう。
【００４２】
そこで、画像信号補正部３１では、上述した階調の不一致を解消し、一致（輝度・濃度マッチング）させるために、輝度・濃度変換部３０で濃度値に変換された画像信号を、画像補正部１２で画像信号Ｓ１をガンマ補正処理したときの補正用パラメータに基づいて補正処理を行っている。
【００４３】
画像信号補正部３１は、例えば、パラメータ入力部２１を介して図２に示す何れかの補正曲線が補正用パラメータとして供給され、供給された補正曲線に対応する補正曲線が選択され、選択された補正曲線に基づいて、画像信号を補正処理する。なお、図５では、補正曲線Ｅが最も濃く（暗く）印刷され、補正曲線Ｆ、補正曲線Ｇ、補正曲線Ｈの順番で薄く（明るく）印刷される。
【００４４】
また、画像信号補正部３１は、具体的には、図６に示すように、各補正曲線がアドレスで指定されるＬＵＴ（look up table）で構成され、パラメータ入力部２１から供給された補正用パラメータが変換部４０により所定の信号（２ビット）に変換され、変換された信号により指定されるＬＵＴに基づき、輝度・濃度変換部３０から供給された変換後の画像信号に補正処理を行う。
【００４５】
例えば、補正曲線Ｅがアドレス０乃至アドレス２５５で指定されるＬＵＴ＿Ｅに相当し、補正曲線Ｆがアドレス２５６乃至アドレス５１１で指定されるＬＵＴ＿Ｆに相当し、補正曲線Ｇがアドレス５１２乃至アドレス７６７で指定されるＬＵＴ＿Ｇに相当し、補正曲線Ｈがアドレス７６８乃至アドレス１０２３で指定されるＬＵＴ＿Ｈに相当し、変化部４０で補正用パラメータが、「００」と変換された場合には、ＬＵＴ＿Ｅが指定され、「０１」と変換された場合には、ＬＵＴ＿Ｆが指定され、「１０」と変換された場合には、ＬＵＴ＿Ｇが指定され、「１１」と変換された場合には、ＬＵＴ＿Ｈが指定される。
【００４６】
なお、画像信号補正部２２は、輝度・濃度変換部３０と、画像信号補正部３１と、ガンマ補正部３２がそれぞれ独立していても良いし（以下、第１のパターンという。）、輝度・濃度変換部３０と画像信号補正部３１が一体的に統合されていても良いし（以下、第２のパターンという。）、画像信号補正部３１とガンマ補正部３２が一体的に統合されていても良いし（以下、第３のパターンという。）、輝度・画像変換部３０と、画像信号補正部３１と、ガンマ補正部３２がすべて一体的に統合されていても良い（以下、第４のパターンという。）。
【００４７】
また、第１のパターンの場合には、図７に示すように、輝度・画像変換部３０が図７Ａに示すＬＵＴで構成され、画像信号補正部３１が図７Ｂに示すＬＵＴで構成され、ガンマ補正部３２が図７Ｃに示すＬＵＴで構成されていても良い。また、第２のパターンの場合には、図８に示すように、統合された輝度・濃度変換部３０と画像信号補正部３１が図８Ａに示すＬＵＴで構成され、ガンマ補正部３２が図８Ｂに示すＬＵＴで構成されていても良い。また、第３のパターンの場合には、図９に示すように、輝度・濃度変換部３０が図９Ａに示すＬＵＴで構成され、統合された画像信号補正部３１とガンマ補正部３２が図９Ｂに示すＬＵＴで構成されていても良い。さらに、第４のパターンの場合には、統合された輝度・画像変換部３０と、画像信号補正部３１と、ガンマ補正部３２が図１０に示すＬＵＴで構成されていても良い。
【００４８】
つぎに、ハーフトーニング部２３の構成について説明する。ハーフトーニング部２３は、上述のように構成される画像信号処理部２２から供給される補正処理後の画像信号に基づき、インク滴の集合によって中間調を再現するためのハーフトーニング処理を、例えば、誤差拡散法により行う。
【００４９】
ハーフトーニング部２３は、図１１に示すように、画像信号補正部３１から供給される補正処理後の画像信号に所定の誤差拡散処理を行う誤差拡散処理部５０と、誤差拡散処理された画像信号に量子化処理を行う量子化処理部５１からなり、量子化処理後の信号をヘッドドライブ部２４に供給する。
【００５０】
誤差拡散処理部５０は、画像信号処理部２２から供給される補正処理後の画像信号に所定の累積誤差値を加算する加算部５２と、所定の閾値テーブルに基づき、加算部５２で加算処理された加算値を所定の閾値に変換する閾値変換部５３と、加算部５２で加算処理された加算値から、閾値変換部５３で変換された閾値を減算する減算部５４と、減算部５４で減算処理された減算値に、所定の誤差拡散係数マトリクスを乗算する乗算部５５と、乗算部５５により乗算処理された乗算値をバッファリングし、所定のタイミングで加算部５２にバッファリングされている乗算値を供給するバッファ５６とからなる。
【００５１】
ヘッドドライブ部２４は、ハーフトーニング部２３から供給される画像信号に基づき、印刷ヘッド２５の駆動を制御する。印刷ヘッド２５は、ヘッドドライブ部２４の駆動制御に基づき、印刷用紙に画像を印刷する。
【００５２】
ここで、画像表示印刷システム１の具体的な動作について図１２に示すフローチャートにしたがって説明する。なお、以下の説明では、補正処理装置３が備える各構成要素における動作は、所定の画像補正用のプログラム（以下、補正用プログラムという。）で実現されるものとする。
【００５３】
ステップＳＴ１において、補正処理装置３は、ユーザの操作により撮像装置２で撮像された画像（以下、原画像という。）が供給される。ユーザは、例えば、撮像装置２により、図１３Ａに示すような歯のＸ線撮像画像（モノクロ画像）を撮像し、当該画像を補正処理装置３に供給する。
【００５４】
ステップＳＴ２において、補正処理装置３は、ユーザの操作に応じて補正用プログラムを起動し、ステップＳＴ１で撮像装置２から供給された原画像を表示装置４に表示させる。
【００５５】
ステップＳＴ３において、補正処理装置３は、ユーザの操作に応じて原画像に補正処理を行う。例えば、ユーザは、図１３Ａに示す原画像のうち、破線で囲った部分αを詳細に観察するために、当該部分αに注目し、所定の操作を行う。補正処理装置３は、ユーザの操作に応じて、所定の補正用パラメータを生成し、該補正用パラメータに基づいて原画像の補正処理を行う。なお、ユーザは、表示装置４に表示されている表示画像を眺めながら、表示画像が所望の形態になるように補正処理装置３に対して所定の操作を行う。そして、補正処理装置３は、ユーザの操作に応じて、例えば、図１３Ｂに示すように、部分αの階調（輝度）が詳細に示された画像を表示装置４に表示させる。また、ユーザは、図１４に示すような補正曲線関数をポインティングデバイスを用いてドラッグアンドドロウ等のマニュアル操作で任意の曲線に変更することにより、補正用パラメータを生成しても良い。
【００５６】
ステップＳＴ４において、補正処理装置３は、ユーザの操作に応じて、撮像装置２から入力された原画像と、該原画像にステップＳＴ３で補正処理を施した際に利用した補正用パラメータを印刷装置５に供給する。
【００５７】
ステップＳＴ５において、印刷装置５は、補正処理装置３から供給された補正用パラメータに基づき、原画像に所定の補正処理を行い、補正処理後の画像を印刷出力する。印刷装置５は、原画像を輝度・濃度変換し、補正処理装置３から供給された補正用パラメータに基づき、変換後の画像に対して輝度・濃度マッチングを行い、輝度・濃度マッチング後の画像に所定の補正処理を行う。
【００５８】
このようにして本発明に係る画像表示印刷システム１は、撮像装置２で撮像された原画像を補正処理装置３に供給し、補正処理装置３で所定の補正用パラメータに基づいて原画像に補正処理を行い、補正処理後の画像を表示装置４に出力し、かつ、印刷装置５で当該補正用パラメータに基づいて、原画像に輝度・濃度マッチングを行い、輝度・濃度マッチングを行った画像に所定の補正処理を施して印刷出力するので、表示装置４に表示されている表示画像と、印刷装置５により印刷出力される印刷画像の階調度を一致させることができ、例えば、患者の患部を撮像した画像が表示装置４に表示されており、表示画像の一部に注目し、病理判定が可能な程度に当該表示画像の階調を多階調に補正処理した場合に、当該表示画像と同一の階調を有する印刷画像を得ることができる。
【図面の簡単な説明】
【００５９】
【図１】本願発明に係る画像表示印刷システムの構成を示すブロック図である。
【図２】本願発明に係る画像表示印刷システムに備えられている表示装置においてガンマ補正を行う際に用いる補正曲線の例を示す図である。
【図３】表示装置の輝度特性を補正処理装置の輝度特性で相殺したときの様子を示す図である。
【図４】印刷装置のガンマ特性を示す図である。
【図５】本願発明に係る画像表示印刷システムに備えられている印刷装置において補正処理を行う際に用いる補正曲線の例を示す図である。
【図６】印刷装置に備えられている画像補正部の構成を示す図である。
【図７】画像信号補正部の第１のパターンを示すブロック図である。
【図８】画像信号補正部の第２のパターンを示すブロック図である。
【図９】画像信号補正部の第３のパターンを示すブロック図である。
【図１０】画像信号補正部の第４のパターンを示すブロック図である。
【図１１】ハーフトーニング部の構成を示すブロック図である。
【図１２】本発明に係る画像表示印刷システムの動作を説明するためのフローチャートである。
【図１３】撮像装置により撮像された原画像と、処理後の画像を示す図である。
【図１４】補正曲線関数をポインティングデバイスによりマニュアル操作する際の説明に供する図である。
【符号の説明】
【００６０】
１  画像表示印刷システム、２  撮像装置、３  補正処理装置、４  表示装置、５  印刷装置、１０  画像入力部、１１  補正用パラメータ供給部、１２  画像補正部、１３  表示出力部、１４  画像出力部、１５  パラメータ出力部、２０  画像入力部、２１  パラメータ入力部、２２  画像処理部、２３  ハーフトーニング処理部、２４  ヘッドドライブ部、２５  印刷ヘッド、３０  輝度・濃度変換部、３１  画像信号補正部、３２  ガンマ補正部
【図１】
2005311632.tif 000003
【図２】
2005311632.tif 000004
【図３】
2005311632.tif 000005
【図４】
2005311632.tif 000006
【図５】
2005311632.tif 000007
【図６】
2005311632.tif 000008
【図７】
2005311632.tif 000009
【図８】
2005311632.tif 000010
【図９】
2005311632.tif 000011
【図１０】
2005311632.tif 000012
【図１１】
2005311632.tif 000013
【図１２】
2005311632.tif 000014
【図１３】
2005311632.tif 000015
【図１４】
2005311632.tif 000016